(57)【要約】【課題】１枚の折り畳み可能なシート１を折ることで変えることで小物差し入れカバー片１０を備えた名刺立てを提供可能としている。【解決手段】１枚のシートを中空三角柱状に折り畳み、正面側には名刺支持片８の下端左右隅角部に名刺挟持片２１、２２を設けている。背面側には小物支持片６に小物差し入れカバー片１０を設け、内側に小物を収納可能にしている。【選択図】図３
2011126261.tif 000002
【特許請求の範囲】
【請求項１】
一方向に著しく長く折り畳み可能なシートに、長さ方向に所定間隔を有して平行に離隔した折目を設け、該折目により区分けされた第１の底面、第２の底面、小物支持片及び名刺支持片を長さ方向に前記折目を介して連設し、
前記第１の底面の外端縁を折目とし、該折目を介して小物差し入れカバー片を連設し、
前記小物支持片に前記小物差し入れカバー片を安定的に重合するために、前記小物差し入れカバー片の左右側方には折目を介して挟持片を連設し、
前記第１の底面の左右側方には折目を介して係止片を連設し、該係止片は前記挟持片と折目を介して連設され、
前記名刺支持片の外端縁には、折目を介して差込片を連設し、
前記名刺支持片左右外側縁と前記差込片左右外側縁には名刺挟持片を折目を介して連設し、
前記第１の底面と前記第２の底面との間に介在する折目を谷折りし、前記小物差し入れカバー片と前記第１の底面の表面に、前記第２の底面と前記小物支持片の表面を重合当接し、前記第２の底面と前記小物支持片を、前記小物差し入れカバー片及び前記第１の底面と前記挟持片及び前記係止片とで挟み込み、
前記名刺支持片と前記差込片の表面に折目を介して前記名刺挟持片を折り畳んで重合し、前記差込片を前記係止片と前記第２の底面裏面との間に差し込んで、前記第１の底面及び第２の底面の折り畳みにより形成された２重の底部の背面端縁と正面端縁との間に、前記小物支持片と名刺支持片を側視∧状に跨らせたことを特徴とする名刺立て。
【請求項２】
一方向に著しく長く折り畳み可能なシートに、長さ方向に離隔した折目を平行な位置関係になるように設け、該折目により区分けされた第１の底面、第２の底面及び名刺支持片を長さ方向に前記折目を介して連設し、
前記第１の底面の長さ方向外端縁を折目とし、該折目を介して小物差し入れカバー片を連設し、
前記名刺支持片に前記小物差し入れカバー片を安定的に重合するために、前記小物差し入れカバー片の左右側方には折目を介して挟持片を連設し、
前記第１の底面の左右側方には折目を介して係止片を連設し、該係止片は前記挟持片と折目を介して連設され、
前記名刺支持片の長さ方向外端縁には、折目を介して差込片を連設し、
前記名刺支持片左右外側縁と前記差込片左右外側縁には名刺挟持片を折目を介して連設し、
前記第１の底面と前記第２の底面との間に介在する折目を谷折りし、前記小物差し入れカバー片と前記第１の底面の表面に、前記第２の底面と前記名刺支持片の表面を重合当接し、前記第２の底面と前記名刺支持片を、前記小物差し入れカバー片及び前記第１の底面と前記挟持片及び前記係止片とで挟み込み、
前記名刺支持片と前記差込片の表面に折目を介して前記名刺挟持片を折り畳んで重合し、前記差込片を前記係止片と前記第２の底面裏面との間に差し込んで、前記第１の底面及び第２の底面の折り畳みにより形成された２重の底部の背面端縁と正面端縁との間に、前記名刺支持片を側視円弧状に跨らせたことを特徴とする名刺立て。
【請求項３】
折り畳み可能なシートよりなり、平視矩形状名刺支持片の左右側縁に外方に突出する段部を設け、該名刺支持片よりも幅広な平視矩形状片を一体的に連設してなり、
前記幅広な平視矩形状片には、第１の折目、第２の折目、第３の折目が長さ方向に平行に等間隔を有して離隔され、該離隔距離よりも長い離隔距離を有して第４の折目は第３の折目と平行に離隔配設され、
前記幅広な平視矩形状片には、前記第１の折目、第２の折目、第３の折目及び第４の折目と直交する縦折目を前記名刺支持片の左右側縁の延長線上に設け、
前記左右の縦折目と前記第３の折目と前記第４の折目とで囲まれる部分を底面と成し、
前記幅広な平視矩形状片の表面側に於いて前記第３の折目に第１の折目が重合し、前記名刺支持片の裏面側に於いて第２の折目が前記名刺支持片下端縁に沿うように折り畳み、
前記幅広な平視矩形状片の裏面側に於いて、前記第３の折目と前記第２の折目との間の片を前記第２の折目を小物差し入れ口縁とする小物差し入れカバー片と成し、
前記幅広な平視矩形状片のうち左右縦折目の外側に配設される片を前記縦折目を介して内方に折り畳み、
前記第４の折目より正面方に配設される名刺差込カバー片を上向きに折り立て、該名刺差込カバー片のうち前記底面よりも正面方に配設される名刺差込カバー片と、該名刺差込カバーのうち前記縦折目よりも外方に配設される片との間を名刺差込口とし、
前記名刺支持片が前記底面の表面側を背面側から正面側に亘って跨ぐように、前記名刺差込口に前記名刺支持片の外端縁を差し込んだことを特徴とする名刺立て。
【発明の詳細な説明】
【技術分野】
【０００１】  本発明は、正面側に名刺立て機能を背面側に小物収納機能を併せ持たせた名刺立てに関する。
【背景技術】
【０００２】  名刺に小物を添付して差し出し可能なものとして、特許文献１又は特許文献２に記載のものが存在する。特許文献１又は特許文献２に記載の名刺入れは、名刺を立てることなく透明な扁平袋体内に小物等と共に名刺を入れ、名刺の前端部左右を両手に持ち名刺後端部が相手方になるように名刺を水平或は傾斜させて相手に手渡しするのに使用するものである。
【特許文献１】実開平２−２３３４７号公報
【特許文献２】実開平５−４２１６９号公報
【発明の開示】
【発明が解決しようとする課題】
【０００３】  本願発明が解決しようとする問題点は、名刺をテーブル上に載置した場合、平面方向からでなければ名刺記載内容を読みづらいという点である。
【課題を解決するための手段】
【０００４】  本願発明のうち請求項１に記載の発明は、一方向に著しく長く折り畳み可能なシートに、長さ方向に所定間隔を有して平行に離隔した折目を設け、該折目により区分けされた第１の底面、第２の底面、小物支持片及び名刺支持片を長さ方向に前記折目を介して連設し、第１の底面の外端縁を折目とし、この折目を介して小物差し入れカバー片を連設し、小物支持片に小物差し入れカバー片を安定的に重合するために、小物差し入れカバー片の左右側方には折目を介して挟持片を連設し、第１の底面の左右側方には折目を介して係止片を連設し、係止片は前記挟持片と折目を介して連設され、名刺支持片の外端縁には、折目を介して差込片を連設し、名刺支持片左右外側縁と差込片左右外側縁には名刺挟持片を折目を介して連設し、第１の底面と第２の底面との間に介在する折目を谷折りし、小物差し入れカバー片と第１の底面の表面に、第２の底面と小物支持片の表面を重合当接し、第２の底面と小物支持片を、小物差し入れカバー片及び第１の底面と挟持片及び係止片とで挟み込み、名刺支持片と差込片の表面に折目を介して名刺挟持片を折り畳んで重合し、差込片を係止片と第２の底面裏面との間に差し込んで、第１の底面及び第２の底面の折り畳みにより形成された２重の底部の背面端縁と正面端縁との間に、小物支持片と名刺支持片を側視∧状に跨らせたことを特徴とする。
請求項２に記載の発明は、一方向に著しく長く折り畳み可能なシートに、長さ方向に離隔した折目を平行な位置関係になるように設け、該折目により区分けされた第１の底面、第２の底面及び名刺支持片を長さ方向に折目を介して連設し、第１の底面の長さ方向外端縁を折目とし、該折目を介して小物差し入れカバー片を連設し、名刺支持片に前記小物差し入れカバー片を安定的に重合するために、小物差し入れカバー片の左右側方には折目を介して挟持片を連設し、第１の底面の左右側方には折目を介して係止片を連設し、該係止片は挟持片と折目を介して連設され、名刺支持片の長さ方向外端縁には、折目を介して差込片を連設し、名刺支持片左右外側縁と差込片左右外側縁には名刺挟持片を折目を介して連設し、第１の底面と第２の底面との間に介在する折目を谷折りし、小物差し入れカバー片と第１の底面の表面に、第２の底面と名刺支持片の表面を重合当接し、第２の底面と名刺支持片を、小物差し入れカバー片及び第１の底面と挟持片及び係止片とで挟み込み、名刺支持片と差込片の表面に折目を介して名刺挟持片を折り畳んで重合し、差込片を係止片と第２の底面裏面との間に差し込んで、第１の底面及び第２の底面の折り畳みにより形成された２重の底部の背面端縁と正面端縁との間に、名刺支持片を側視円弧状に跨らせたことを特徴とする。
請求項３に記載の発明は、折り畳み可能なシートよりなり、平視矩形状名刺支持片の左右側縁に外方に突出する段部を設け、名刺支持片よりも幅広な平視矩形状片を一体的に連設してなり、幅広な平視矩形状片には、第１の折目、第２の折目、第３の折目が長さ方向に平行に等間隔を有して離隔され、該離隔距離よりも長い離隔距離を有して第４の折目は第３の折目と平行に離隔配設され、幅広な平視矩形状片には、第１の折目、第２の折目、第３の折目及び第４の折目と直交する縦折目を名刺支持片の左右側縁の延長線上に設け、左右の縦折目と第３の折目と第４の折目とで囲まれる部分を底面と成し、幅広な平視矩形状片の表面側に於いて第３の折目に第１の折目が重合し、名刺支持片の裏面側に於いて第２の折目が名刺支持片下端縁に沿うように折り畳み、幅広な平視矩形状片の裏面側に於いて、第３の折目と第２の折目との間の片を第２の折目を小物差し入れ口縁とする小物差し入れカバー片と成し、幅広な平視矩形状片のうち左右縦折目の外側に配設される片を縦折目を介して内方に折り畳み、第４の折目より正面方に配設される名刺差込カバー片を上向きに折り立て、名刺差込カバー片のうち底面よりも正面方に配設される名刺差込カバー片と、名刺差込カバーのうち縦折目よりも外方に配設される片との間を名刺差込口とし、名刺支持片が底面の表面側を背面側から正面側に亘って跨ぐように、名刺差込口に名刺支持片の外端縁を差し込んだことを特徴とする。
【発明の効果】
【０００５】  本願発明は、１枚のシートを折り畳むという簡単な方法で背面側に小物を入れた名刺立てを得ることができるため、低コスト化を図り得るという効果がある。
本願発明は、名刺がデーブル上に立った状態で設置しているため、遠目でも名刺記載内容が判りやすいという効果がある。
本願発明は、背面側に爪楊枝や、主婦や子供の好む日用品、例えば脂取り紙、紙おしろい、テッシュペーパー、人気キャラクターのシールや面子を用いれば、長時間客の目前に名刺があるため名刺に記載された名前を覚えることが出来、しかも爪楊枝立て等の小物を卓上に置く必要性がないため経済的であるという効果がある。
【発明を実施するための最良の形態】
【０００６】  折り畳み可能な１枚のシートをベースにすることで低コスト化を図り、底面の正面端縁と背面端縁間に側視が∧状或は円弧状にシートを跨らせることで名刺背面方を支持し名刺を立て掛けた状態で小物も収納する名刺立ての確保を実現した。
【実施例１】
【０００７】  図１から図３に示される実施例１について説明する。図１は名刺立ての一実施例における展開図、図２は折り畳んだ状態を示す説明図、図３は名刺立ての斜視図である。
これらの図において、シート１は折り畳み可能な紙等よりなる。図１に示すように、シート１は、左右横幅が名刺２３の１辺の長さより僅かばかり長く、縦方向に著しく長く形成されている。シート１の左右横幅は、氏名を横書きしている名刺２３に使用する場合は名刺２３の長辺の長さよりも僅かばかり長く、氏名を縦書きしている名刺２３に使用する場合は名刺２３の短辺の長さよりも僅かばかり長く設定されている。第１の底面２と第２の底面３は縦幅が同一長さに形成されており、折目４を介して連設されている。第２の底面３は折目５を介して小物支持片６と連設されている。小物支持片６は折目７を介して名刺支持片８と連設されている。第１の底面２の長さ方向における外側方には折目９を介して小物差し入れカバー片１０が連設されている。小物差し入れカバー片１０の左右外側には、折目１１、１２を介して挟持片１３、１４を連設している。平視直角三角形状の係止片１５は、折目９と折目１１を介して挟持片１３と第１の底面２に連続的に設けられている。平視直角三角形状の係止片１６は、折目９と折目１２を介して挟持片１４と第１の底面２に連続的に設けられている。名刺支持片８の長さ方向の外側には折目１７を介して差込片１８を連設している。名刺支持片８の左右側縁の長さ方向中途位置から差込片１８の正面端部に亘り、折目１９、２０を介して名刺挟持片２１、２２が連設されている。【０００８】  そして、上記構成のシート１において、折目１９、２０を谷折りして名刺挟持片２１、２２を内側に折り畳み、名刺挟持片２１、２２の表面を名刺支持片８及び差込片１８の表面に重合当接させる。折目１７により差込片１８を裏面側に折り返す。図２に示すように、折目４を谷折りして第１の底面２の表面に第２の底面３の表面を重合当接させ、さらに、折目１１を介して挟持片１３及び係止片１５を内側方に折り畳み、折目１２を介して挟持片１４及び係止片１６を内側方に折り畳む。第２の底面３と小物支持片６は、第１の底面２及び小物差し入れカバー片１０と挟持片１３、１４及び係止片１５、１６で挟まれる。折目５、９を介して小物差し入れカバー片１０、挟持片１３、１４と共に小物支持片６を起こし、折目７を介して名刺支持片８を正面方に折り返し、差込片１８は第２の底面３と係止片１５、１６との間に挿し入れる。小物支持片６と名刺支持片８は側視∧状に形成されている。名刺支持片８の表面下部左右隅部には名刺挟持片２１、２２による３角コーナーが形成される。この３角コーナーに名刺２３の角部を挿し入れ、名刺２３は名刺支持片８に凭れかけさせられて傾斜状態で立設保持される。小物支持片６の表面と、小物支持片６の表面に重合する小物差し入れカバー片１０との間に、爪楊枝等の所望の小物を収納可能なポケットが形成されている。
実施例１の名刺立ては、名刺２３を傾斜し立てた状態で卓上に載置可能で、背面側には小物収納可能なポケットを設けているので、このポケットに収納した小物が名刺２３の背後にあって正面から視認できず、上品な美観を呈するテーブルセッティングに寄与するという作用効果がある。
【実施例２】
【０００９】  図４〜図７に基いて実施例２を説明する。説明を簡単にするために、図１〜図３と同様の作用をなす部分は同一符号を用いて説明する。図４に示すように、シート１は、左右横幅が名刺の１辺の長さより僅かばかり長く、縦方向に著しく長く形成されている。シート１の左右横幅は、氏名を横書きしている名刺に使用する場合は名刺の長辺の長さよりも僅かばかり長く、氏名を縦書きしている名刺に使用する場合は名刺の短辺の長さよりも僅かばかり長く設定されている。第１の底面２と第２の底面３は縦幅が同一長さに形成されており、折目４を介して連設されている。第２の底面３は折目５を介して小物支持片６と連設されている。小物支持片６は折目７を介して名刺支持片８と連設されている。第１の底面２の長さ方向における外側方には折目９を介して小物差し入れカバー片１０が連設されている。小物差し入れカバー片１０の左右外側には、折目１１、１２を介して挟持片１３、１４を連設している。係止片２４、２５は、平視台形に形成されている。係止片２４は、折目９と折目１１を介して挟持片１３と第１の底面２に連続的に設けられている。係止片２５は、折目９と折目１２を介して挟持片１４と第１の底面２に連続的に設けられている。名刺支持片８の長さ方向の外側には折目１７を介して差込片２６を連設している。名刺支持片８の左右側縁の長さ方向中途位置から差込片２６の左右側縁正面端部に亘り、折目２７を介して名刺挟持片２８が連設されている。折目２７は第２の底面３、小物支持片６及び名刺支持片８の左右両側縁の延長線上に配設されている。名刺挟持片２８のうち折目１７により区分けされた名刺支持片８の左右外側に位置する部分は直角三角形に形成されている。【００１０】  そして、上記構成のシート１において、折目２７、２７を谷折りして名刺挟持片２８を内側に折り畳み、名刺挟持片２８の表面を名刺支持片８及び差込片２６の表面に重合当接させる。折目１７により差込片２６を裏面側に折り返す。折目４を谷折りして第１の底面２の表面に第２の底面３の表面を重合当接させ、さらに、折目１１を介して挟持片１３及び係止片２４を内側方に折り畳み、折目１２を介して挟持片１４及び係止片２５を内側方に折り畳む。折目５、９を介して小物差し入れカバー片１０、挟持片１３、１４と共に小物支持片６を起こす。折目７を介して名刺支持片８を正面方に折り返す。図５に示すように、差込片２６は、第２の底面３と係止片２４、２５との間に挿し入れる。得られた名刺立ては、小物支持片６と名刺支持片８を側視∧状に形成し、名刺支持片８の表面下部左右隅部には名刺挟持片２８による３角コーナーが形成されている。この３角コーナーに名刺の角部を挿し入れ、名刺は名刺支持片８に凭れかけさせられて傾斜状態で立設保持される。小物支持片６の表面と、小物支持片６の表面に重合する小物差し入れカバー片１０との間に、爪楊枝等の所望の小物を収納可能なポケットが形成されている。
【実施例３】
【００１１】  図８及び図９に基いて実施例３を説明する。図４と異なる点は、折目７を有しておらず、名刺支持片８の縦方向長さが、第２の底面の縦方向長さの約２倍程度の長さを有する点である。折目２７、２７を谷折りして名刺挟持片２８を内側に折り畳み、名刺挟持片２８の表面を名刺支持片８及び差込片２６の表面に重合当接させる。折目１７により差込片２６を裏面側に折り返す。折目４を谷折りして第１の底面２の表面に第２の底面３の表面を重合当接させ、折目１１により挟持片１３及び係止片２４を内側方に折り畳み、折目１２により挟持片１４及び係止片２５を内側方に折り畳む。折目５、９を介して小物差し入れカバー片１０、挟持片１３、１４と共に名刺支持片８を起こす。差込片２６は、第２の底面３と係止片２４、２５との間に挿し入れる。得られた名刺立ては、縦方向に長い名刺支持片８を側視円弧状に形成し、名刺支持片８の表面下部左右隅部には名刺挟持片２８による３角コーナーが形成されている。この３角コーナーに名刺の角を差し込み、名刺は名刺支持片８に凭れかけさせられて傾斜状態で立設保持される。
【実施例４】
【００１２】  図１０及び図１１に基いて実施例４を説明する。実施例４の名刺立ては、氏名を横書きした名刺用である。シート１の横幅は名刺の長辺より僅かばかり長く形成されている。第１の底面２と、第２の底面３と差込片２６の縦幅が同一長さに形成されている。折目２７を介して差込片２６の左右外側に設けた名刺挟持片２９は、折目１７線上の部分を最も突出した平視三角形状にし、折目１７により区分けされ名刺支持片８の左右外側に連設された部分よりも、差込片２６の左右外側に連設された部分の面積を大に形成している。【００１３】  そして、折目２７、２７を谷折りして名刺挟持片２９を内側方に折り畳み、折目１７により差込片２６を裏面側に折り返す。折目４を谷折りして第１の底面２の表面に第２の底面３の表面を重合当接させ、さらに、折目１１を介して挟持片１３及び係止片２４を内側方に折り畳み、折目１２を介して挟持片１４及び係止片２５を内側方に折り畳む。折目５、９により小物差し入れカバー片１０、挟持片１３、１４と共に小物支持片６を起こす。折目７により名刺支持片８を正面方に折り返す。差込片２６は、第２の底面３と係止片２４、２５との間に挿し入れる。得られた名刺立ては、小物支持片６と名刺支持片８を側視∧状に形成し、名刺支持片８の表面下部左右隅部には名刺挟持片２９による３角コーナーが形成されている。この３角コーナーに名刺の角部を挿し入れ、名刺は名刺支持片８に凭れかけさせられて傾斜状態で立設保持される。
【実施例５】
【００１４】  図１２〜図１７に基いて実施例５を説明する。
折り畳み可能な紙等よりなるシート１は、所定横幅を有し縦方向に長い平視矩形状の名刺支持片３０と、名刺支持片３０の横幅より幅広な横幅を有する平視矩形状片３１とを一体的に連設して全体として平視凸状に形成されている。名刺支持片３０の横幅は、使用する名刺２３の挿入方向により決定するが氏名を縦書きした名刺２３を使用するものにあっては、名刺２３の短辺長さよりも僅かばかり長く形成されている。平視矩形状片３１は、名刺支持片３０の左右側縁と９０度の角度を有して左右外側方に夫々同一長さ分張り出して一体的に連設されている。
平視矩形状片３１には、横幅方向に延びる第１の折目３２、第２の折目３３、第３の折目３４及び第４の折目３５が、縦方向に沿って離隔し平行に設けられている。平視矩形状片３１の上端縁、第１の折目３２、第２の折目３３、第３の折目３４の離隔距離は、縦幅の狭い定間隔であり、第３の折目３４と第４の折目３５との縦方向離隔距離は長く設けられている。平視矩形状片３１には、名刺支持片３０の左右側縁の延長線上に縦折目３６を縦方向に対向して延設し、縦折目３６の左右外側に設けられている部分を片３７としている。縦折目３６と第３の折目３４と第４の折目３５で囲まれる部分を底面３８となす。平視矩形状片３１のうち第４の折目３５より長さ方向外側に位置する部分は名刺差込カバー片３９となす。【００１５】  そして、図１３に示すように、第２の折目３３を谷折りし、山折りした第１の折目３２を第３の折目３４に重合して折り畳む。第１５図に示すように、縦折目３６を谷折りし、平視矩形状片３１のうち縦折目３６の左右外側に連設される片３７を、縦折目３６より内側に折り畳みんだ状態で、第４の折目３５より名刺差込カバー片３９を表面側に折り返して折り畳む。図１６に示すように、名刺差込カバー片３９は、底面３８に対して略９０度の角度を有するように起こし、名刺支持片３０を底面３８上を跨らせて名刺差込カバー片３９に設けられた名刺差込口に差し込む。名刺支持片３０は、側視円弧状に底面３８の正背間に跨っている。図１７に示すように、名刺支持片３０の差し込まれた名刺差込口に重ねて名刺２３を差し込んで使用するものである。名刺立ての背面には、第１の折目３２と第２の折目３３との間に位置する部分が小物差し入れカバー片として機能する。
【実施例６】
【００１６】  図１８〜図２０に基いて実施例６を説明する。折り畳み可能な紙等よりなるシート１は、所定横幅を有し縦方向に長い平視矩形状の名刺支持片３０と、名刺支持片３０の横幅より幅広な横幅を有する平視矩形状片４０とを一体的に連設して全体として平視凸状に形成されている。実施例６では、氏名を横書きした名刺用のものを例に説明しているので、名刺支持片３０の横幅は、名刺の長辺長さよりも僅かばかり長く形成されている。平視矩形状片４０は、名刺支持片３０の左右側縁と９０度の角度を有して左右外側方に夫々同一長さ分張り出して一体的に連設されている。
平視矩形状片４０と名刺支持片３０との境界線を第１の折目４１としている。平視矩形状片４０には第２の折目４２、第３の折目４３及び第４の折目４４が、縦方向に沿って離隔し、第１の折目４１と平行な位置関係に設けられている。第１の折目４１、第２の折目４２、第３の折目４３の離隔距離は、縦幅の狭い定間隔であり、第３の折目４３と第４の折目４４との縦方向離隔距離は長く設けられている。平視矩形状片４０には、名刺支持片３０の左右側縁の延長線上に縦折目４５を縦方向に対向して延設し、縦折目４５の左右外側に設けられている部分を片４６としている。縦折目４５と第３の折目４３と第４の折目４４で囲まれる部分を底面４７となす。平視矩形状片４０のうち第４の折目４４より長さ方向外側に位置する部分は名刺差込カバー片４８となす。【００１７】  そして、第２の折目４２を谷折りし、山折りした第１の折目４１を第３の折目４３に重合して折り畳んだ後、縦折目４５を谷折りし、平視矩形状片４０のうち縦折目４５の左右外側に連設される片４６を、縦折目４５より内側に折り畳みんだ状態で、第４の折目４４より名刺差込カバー片４８を表面側に折り返して折り畳み、図１９に示す状態にする。名刺差込カバー片４８は、底面４７に対して略９０度の角度を有するように起こし、名刺支持片３０を底面４７上を跨らせて名刺差込カバー片４８に設けられた名刺差込口に差し込む。図２０に示すように、名刺支持片３０の差し込まれた名刺差込口に重ねて名刺を差し込んで使用するものである。名刺立ての背面には、第１の折目３２と第２の折目３３との間に位置する部分が小物差し入れカバー片として機能する。
【産業上の利用可能性】
【００１８】  名刺を披露宴の出席者カードや誕生カードにすることで、出席者の座席位置を判りやすくすることができる。
【図面の簡単な説明】
【００１９】
【図１】名刺立ての展開図である。（実施例１）
【図２】折り畳んだ状態を示す説明図である。（実施例１）
【図３】名刺立ての斜視図である。（実施例１）
【図４】名刺立ての展開図である。（実施例２）
【図５】シートの折り畳み状態を示す説明図である。（実施例２）
【図６】名刺立ての正面図である。（実施例２）
【図７】名刺立ての背面図である。（実施例２）
【図８】名刺立ての展開図である。（実施例３）
【図９】名刺立ての斜視図である。（実施例３）
【図１０】名刺立ての展開図である。（実施例４）
【図１１】名刺立ての斜視図である。（実施例４）
【図１２】名刺立ての展開図である。（実施例５）
【図１３】名刺立ての折り畳み工程を説明する平面説明図である。（実施例５）
【図１４】図１３のＡ−Ａ線断面説明図である。（実施例５）
【図１５】名刺立ての折り畳み工程を説明する平面説明図である。（実施例５）
【図１６】名刺立ての斜視図である。（実施例５）
【図１７】名刺立ての使用状態を示す側面説明図である。（実施例５）
【図１８】名刺立ての展開図である。（実施例６）
【図１９】名刺立ての折り畳み工程を説明する平面説明図である。（実施例６）
【図２０】名刺立ての側面説明図である。（実施例６）
【符号の説明】
【００２０】１  シート
２  第１の底面
３  第２の底面
４、５、７、９、１１、１２、１７、１９、２０、２７  折目
６  小物支持片
８、３０  名刺支持片
１０  小物差し入れカバー片
１３、１４  挟持片
１５、１６、２４、２５  係止片
１８、２６  差込片
２１、２２、２８、２９  名刺挟持片
２３  名刺
３１、４０  平視矩形状片
３２、４１  第１の折目
３３、４２  第２の折目
３４、４３  第３の折目
３５、４４  第４の折目
３６、４５  縦折目
３７、４６  片
３８、４７  底面
３９、４８  名刺差込カバー片
【図１】
2011126261.tif 000003
【図２】
2011126261.tif 000004
【図３】
2011126261.tif 000005
【図４】
2011126261.tif 000006
【図５】
2011126261.tif 000007
【図６】
2011126261.tif 000008
【図７】
2011126261.tif 000009
【図８】
2011126261.tif 000010
【図９】
2011126261.tif 000011
【図１０】
2011126261.tif 000012
【図１１】
2011126261.tif 000013
【図１２】
2011126261.tif 000014
【図１３】
2011126261.tif 000015
【図１４】
2011126261.tif 000016
【図１５】
2011126261.tif 000017
【図１６】
2011126261.tif 000018
【図１７】
2011126261.tif 000019
【図１８】
2011126261.tif 000020
【図１９】
2011126261.tif 000021
【図２０】
2011126261.tif 000022